(57)【要約】      （修正有）【課題】前後進レバーが前進側から後進側へ急激に操作された場合においても、機体の動作方向を滑らかに切り換えることができる振動締固め機用前後進切換ハンドポンプを提供する。【解決手段】シリンダ３と、シリンダ３の内部に挿入された駆動ピストン５と、開口部３ａ側の内部に配置されたガイドチューブ１１と、ガイドチューブ１１の外周面とシリンダ３の内周面との間に配置されたリング状の補助ピストン１０とを有し、ガイドチューブ１１は、基端部１１ｂから駆動ピストン５に向かって突出するように形成されるとともに、開口部３ａとシリンダ３内の空間Ｓ１との間で作動油を流通させる内部流路を有し、補助ピストン１０は、ガイドチューブ１１の軸線方向へ摺動可能なように構成され、補助スプリング１２によって駆動ピストン５側へ付勢されている。【選択図】図７
2019085721.tif 000002
【特許請求の範囲】
【請求項１】
振動締固め機の機体内に搭載される起振装置と油圧ホースを介して接続されて用いられる振動締固め機用前後進切換ハンドポンプであって、
シリンダと、シリンダの内部に挿入された駆動ピストンと、駆動ピストンの後方側に形成されたオイルタンクと、シリンダの開口部側の内部に配置されたガイドチューブと、ガイドチューブの外周面とシリンダの内周面との間に配置されたリング状の補助ピストンとを有し、
ガイドチューブは、シリンダに対して固定された基端部から駆動ピストンに向かって突出するように形成されるとともに、シリンダの開口部とシリンダの内部との間で作動油を流通させる内部流路を有し、
補助ピストンは、ガイドチューブの軸線方向へ摺動可能なように構成されるとともに、ガイドチューブの基端部と補助ピストンの間に配置された補助スプリングによって駆動ピストン側へ常時付勢され、
ガイドチューブの基端部と補助ピストンとの間の空間が、空気流路を介して外気と連通していることを特徴とする振動締固め機用前後進切換ハンドポンプ。
【請求項２】
空気流路内のいずれかの位置に、防塵フィルターが配置されていることを特徴とする、請求項１に記載の振動締固め機用前後進切換ハンドポンプ。
【請求項３】
補助ピストンを駆動ピストン側へ付勢する補助スプリングとして、起振装置側からの機械的押し戻し力よりも大きな付勢力を有しているものが用いられていることを特徴とする、請求項１又は請求項２に記載の振動締固め機用前後進切換ハンドポンプ。
【請求項４】
駆動ピストンが、シリンダの内周面と摺接する外筒部と、外筒部の内側に配置された内挿部とによって構成され、
駆動ピストンの後方側には、前後進レバーが接続されるとともに先端にローラが枢着されたカムが配置され、
駆動ピストンの内挿部の後半部には、ローラの前方側と後方側を押さえて内側に保持するリンク機構部が形成され、
駆動ピストン内に、シリンダの油圧ホース側とオイルタンク側とを連通させる流通路、及び、当該流通路を開閉するチェック弁が形成され、
チェック弁は、内挿部において形成されたオイルタンク側の弁体と、外筒部において形成された油圧ホース側の弁座とによって構成され、外筒部と内挿部との間に配置されているチェック弁スプリングによって、オイルタンク側の弁体が油圧ホース側の弁座に押し付けられて、チェック弁が閉じる方向へ常時付勢されていることを特徴とする、請求項１〜３のいずれかに記載の振動締固め機用前後進切換ハンドポンプ。
【請求項５】
チェック弁スプリングとして、起振装置側から作用する機械的押し戻し力よりも大きな付勢力を有するものが用いられていることを特徴とする、請求項４に記載の振動締固め機用前後進切換ハンドポンプ。
【発明の詳細な説明】
【技術分野】
【０００１】
本発明は、地盤等の締固め作業に用いられる振動締固め機用のハンドポンプに関し、特に、起振装置における一対の偏心振子のうち、一方の偏心振子の回転の位相を変化させて、その合成ベクトルにより機体を前後進させるように構成された振動締固め機において用いられる前後進切換ハンドポンプに関する。
【背景技術】
【０００２】
従来より、起振装置における一対の偏心振子のうち、一方の偏心振子の回転の位相（他方の偏心振子に対する位相）を変化させ、その合成ベクトルによって機体を前進或いは後進させることができるように（前後進を切り換えることができるように）構成された振動締固め機が知られている。この種の振動締固め機は、操作ハンドルに取り付けられた前後進レバーを回動させることによって油圧動力を発生させ、この油圧動力によって偏心振子の位相を自在に変更できるように構成されていることが多い。
【０００３】
より具体的には、起振装置の前後進切換軸（一方の偏心振子の位相を変更する軸）を動作させる油圧シリンダ（従動ピストンを内蔵）と、機体の操作ハンドルに設けられた前後進切換ハンドポンプ（以下、単に「ハンドポンプ」と称する。）の油圧シリンダ（駆動ピストンを内蔵）との間が、油圧ホースによって接続され、ハンドポンプの駆動ピストンと起振装置の従動ピストンとが油圧力によって連動するように構成されており、ハンドポンプに取り付けられた前後進レバーを回動操作（前傾〜後傾）すると、ハンドポンプの駆動ピストンが動作するとともに、起振装置の従動ピストン（及び前後進切換軸）が動作し、これによって偏心振子の位相が変更され、前後進の切り換え及び速度調節が行われるようになっている。
【０００４】
このような振動締固め機のうち、機体重量が２００ｋｇ以下のいわゆる軽量級の振動締固め機においては、操作の簡便性等を考慮して、操作者が前後進レバーから手を放すと、最終的に機体の進行方向と速度が「全速前進」となる仕組みが採られている。つまり、起振装置において偏心振子が回転している際、起振装置の従動ピストンは、偏心振子の回転によって生じる反力（機械的押し戻し力）により、常にハンドポンプ（駆動ピストン）側へ作動油を吐出する方向に付勢されており、操作者が前後進レバーから手を放すと、この機械的押し戻し力によって起振装置からハンドポンプ側へ作動油が押し出されることになる。そしてこの状態を継続すると、最終的にハンドポンプの油圧シリンダ内に最大量の作動油が流入し、駆動ピストンが後方側（油圧ホースとは反対側）へ押し込まれ、機体の進行方向と速度は「全速前進」となる。
【０００５】
前後進レバーが「全速前進」の位置にある状態（駆動ピストンがハンドポンプ内の最も後方側に押し込まれた状態）から、操作者が前後進レバーを操作すると、その操作量に応じてハンドポンプ内の駆動ピストンが油圧ホース側へ移動し、ハンドポンプから作動油が吐出されるとともに、起振装置の油圧シリンダ内に作動油が流入し、偏心振子の回転による機械的押し戻し力に抗して従動ピストンが後方側（油圧ホースとは反対側）へ押し込まれ、偏心振子の位相が変更される。その結果、機体の進行方向が切り換えられ、速度調節が行われる。
【０００６】
この種のハンドポンプに関しては、現在まで、種々の観点から様々な改良が行われており、例えば、特許文献１には、操作力を低減し、操作者への負担を軽減し、操作追従性を向上させることができるハンドポンプが開示されている。
【先行技術文献】
【特許文献】
【０００７】
【特許文献１】特開２０１７−１４５５７８号公報
【特許文献２】特開２０００−１７６０７号公報
【特許文献３】特開２００２−３１７４０５号公報
【特許文献４】特開２００２−３３９３１３号公報
【特許文献５】特開２００５−１７９９７６号公報
【特許文献６】特開２００５−２００８３０号公報
【発明の概要】
【発明が解決しようとする課題】
【０００８】
特許文献１に開示されているハンドポンプは、前後進レバーが後進側から前進側へ急激に操作された場合において、駆動ピストンに配置されたチェック弁が開放され、シリンダ内の空間とオイルタンクとが連通するように構成されているため、急激な切換操作によって機体に生じ得る衝撃を和らげることができるが、前後進レバーが前進側から後進側へ急激に操作された場合には、大量の作動油がシリンダ内の空間から油圧ホース側へ瞬時に吐出され、起振装置の従動ピストン及び前後進切換軸が急激に切り換わることによって、機体に衝撃が生じかねないという問題がある。
【０００９】
本発明は、このような従来技術における問題を解決しようとするものであって、前後進レバーが後進側から前進側へ急激に操作された場合だけでなく、前進側から後進側へ急激に操作された場合においても、機体の動作方向を滑らかに切り換えることができる振動締固め機用前後進切換ハンドポンプを提供することを目的とする。
【課題を解決するための手段】
【００１０】
本発明に係る振動締固め機用前後進切換ハンドポンプは、振動締固め機の機体内に搭載される起振装置と油圧ホースを介して接続されて用いられ、シリンダと、シリンダの内部に挿入された駆動ピストンと、駆動ピストンの後方側に形成されたオイルタンクと、シリンダの開口部側の内部に配置されたガイドチューブと、ガイドチューブの外周面とシリンダの内周面との間に配置されたリング状の補助ピストンとを有し、ガイドチューブは、シリンダに対して固定された基端部から駆動ピストンに向かって突出するように形成されるとともに、シリンダの開口部とシリンダの内部との間で作動油を流通させる内部流路を有し、補助ピストンは、ガイドチューブの軸線方向へ摺動可能なように構成されるとともに、ガイドチューブの基端部と補助ピストンの間に配置された補助スプリングによって駆動ピストン側へ付勢され、ガイドチューブの基端部と補助ピストンとの間の空間が、空気流路を介して外気と連通していることを特徴としている。
【００１１】
尚、このハンドポンプにおいては、空気流路内のいずれかの位置に、防塵フィルターが配置されていることが好ましく、また、補助ピストンを駆動ピストン側へ付勢する補助スプリングとして、起振装置側からの機械的押し戻し力よりも大きな付勢力を有しているものを用いることが好ましい。
【００１２】
また、駆動ピストンが、シリンダの内周面と摺接する外筒部と、外筒部の内側に配置された内挿部とによって構成され、駆動ピストンの後方側には、前後進レバーが接続されるとともに先端にローラが枢着されたカムが配置され、駆動ピストンの内挿部の後半部には、ローラの前方側と後方側を押さえて内側に保持するリンク機構部が形成され、駆動ピストン内に、シリンダの油圧ホース側とオイルタンク側とを連通させる流通路、及び、当該流通路を開閉するチェック弁が形成され、 チェック弁は、内挿部において形成されたオイルタンク側の弁体と、外筒部において形成された油圧ホース側の弁座とによって構成され、外筒部と内挿部との間に配置されているチェック弁スプリングによって、オイルタンク側の弁体が油圧ホース側の弁座に押し付けられて、チェック弁が閉じる方向へ常時付勢されていることが好ましく、更にこの場合、チェック弁スプリングとして、起振装置側から作用する機械的押し戻し力よりも大きな付勢力を有するものを用いることが好ましい。
【発明の効果】
【００１３】
本発明の振動締固め機用前後進切換ハンドポンプは、前後進レバーが後進側から前進側へ急激に操作された場合だけでなく、前進側から後進側へ急激に操作された場合においても、機体に生じ得る衝撃を和らげることができ、動作方向を滑らかに切り換えることができる。また、急激な操作によって油圧回路内に生じた余剰圧力を吸収する補助ピストンが、シリンダ内に配置されているため、塵埃が浮遊する作業環境から好適に保護することができ、塵埃等の異物に起因する補助ピストンの摺動摩擦抵抗の増大という問題を好適に回避することができる。
【図面の簡単な説明】
【００１４】
【図１】図１は、本発明に係るハンドポンプ１の内部構造を示す断面図であって、機体が「全速前進」となる状態を示す図である。
【図２】図２は、本発明に係るハンドポンプ１の内部構造を示す断面図であって、機体の進行方向が「中立」となる状態を示す図である。
【図３】図３は、本発明に係るハンドポンプ１の内部構造を示す断面図であって、機体が「全速後進」となる状態を示す図である。
【図４】図４は、本発明に係るハンドポンプ１の内部構造を示す拡大断面図であって、チェック弁５４が閉じている状態を示す図である。
【図５】図５は、本発明に係るハンドポンプ１の内部構造を示す拡大断面図であって、チェック弁５４が開いた状態を示す図である。
【図６】図６は、本発明に係るハンドポンプ１の内部構造を示す拡大断面図であって、補助ピストン１０が基本位置にある状態を示す図である。
【図７】図７は、本発明に係るハンドポンプ１の内部構造を示す拡大断面図であって、補助ピストン１０が基端部１１ｂ側へ移動した状態を示す図である。
【発明を実施するための形態】
【００１５】
以下、添付図面に沿って本発明「振動締固め機用前後進切換ハンドポンプ」（以下、単に「ハンドポンプ」と称する。）の実施形態について説明する。本発明に係るハンドポンプは、振動締固め機（図示せず）の後方に突設される操作ハンドル（図示せず）の上部に傾斜姿勢で装着され、振動締固め機の機体内に搭載される起振装置（図示せず）側の油圧シリンダ（従動ピストンが内挿され、前後進切換軸を軸線方向へ移動させて一方の偏心振子の位相を変更する）と油圧ホース（図示せず）を介して接続されて用いられる。
【００１６】
図１は、本発明に係るハンドポンプ１の内部構造を示す断面図である。図示されているようにこのハンドポンプ１は、ケーシング２内に、シリンダ３（油圧シリンダ）と、オイルタンク４が形成されている。尚、このハンドポンプ１は、図１においては、シリンダ３等が水平となる向きで表示されているが、実際には、オイルタンク４側（図１において右側）が上方となる傾斜姿勢で、振動締固め機の操作ハンドル（図示せず）に取り付けられる。
【００１７】
シリンダ３の前方（図１において左側）には、図示しない油圧ホースと接続され、作動油が出入りする開口部３ａが形成されており、シリンダ３の内部には、シリンダ３の軸線方向へ往復動可能なように挿入された駆動ピストン５が配置されている。この駆動ピストン５は、シリンダ３の内周面と摺接する外筒部５１と、外筒部５１の内側に配置された内挿部５２とによって構成されている。
【００１８】
ケーシング２内（オイルタンク４内）には、水平な中心軸線Ｃ周りに回動可能なように保持されたカム６が配置されており、カム６の先端には、カム６の回動動作を駆動ピストン５へ円滑に伝達するためのローラ７が枢着されている。また、オイルタンク４内においては、駆動ピストン５の内挿部５２の後半部が突出した状態となっており、この内挿部５２の後半部には、ローラ７の前方側（図１において左側）と後方側（図１において右側）を押さえてローラ７を内側に保持するリンク機構部５２ａが形成されている。
【００１９】
尚、カム６には、前後進レバー９の基端部が固定されており、操作者が前後進レバー９を回動させると、カム６が軸線Ｃ周りに回動し、その先端のローラ７が所定範囲内で揺動する。より具体的には、前後進レバー９を前傾させるとローラ７が後方側（図１において右側）へ移動し、前後進レバー９を後傾させるとローラ７が前方側（図１において左側）へ移動する。このようなローラ７の揺動動作は、ローラ７を内側に保持しているリンク機構部５２ａを介して、シリンダ３内における駆動ピストン５の往復動作に変換される。そして、駆動ピストン５の往復動作により、作動油が、シリンダ３内から油圧ホース側へ吐出され、或いは、油圧ホース側からシリンダ３内へ流入し、起振装置の従動ピストン及び前後進切換軸が動作して偏心振子の位相が変更され、振動締固め機の進行方向（前後進又は中立）の切り換え、及び、速度調節が行われる。
【００２０】
ここで、本発明に係るハンドポンプ１の動作態様について説明する。図１は、駆動ピストン５の外筒部５１が、シリンダ３内において最も後方側（オイルタンク４側）に位置した状態を示しており、この状態にあるとき、駆動ピストン５よりも前方側（油圧ホース側）のシリンダ３内の空間Ｓ１（容積）は、ほぼ最大となる。この場合、油圧ホース側からシリンダ３内への作動油の流入量は最大となり、振動締固め機の機体は「全速前進」となる。
【００２１】
この状態から前後進レバー９を後方側へ操作し、カム６を回動させて、ローラ７を図２に示す位置まで移動させる（シリンダ３側へ押し出す）と、リンク機構部５２ａにより、起振装置側からの機械的押し戻し力（従動ピストンからの油圧力）に抗して駆動ピストン５が前方（オイルタンク４とは反対側、図２において左側）に移動し、シリンダ３内の空間Ｓ１が半分に狭まり、シリンダ３内から油圧ホース側へキャパシティの半量の作動油が流出し、起振装置の従動ピストン及び前後進切換軸が動作して、振動締固め機の機体は「中立」となる。
【００２２】
この状態から更に前後進レバー９を後方側へ操作し、カム６を更に回動させて、ローラ７を図３に示す位置まで移動させる（シリンダ３側へ押し出す）と、リンク機構部５２ａにより、起振装置側からの機械的押し戻し力に抗して駆動ピストン５が更に前方（オイルタンク４とは反対側、図３において左側）に移動し、シリンダ３内の空間Ｓ１が最小となり、シリンダ３内から油圧ホース側への作動油の流出量が最大となり、起振装置の従動ピストン及び前後進切換軸が動作して、振動締固め機の機体は「全速後進」となる。
【００２３】
そして、この状態から（或いは、図１に示す状態以外のいずれかの状態から）、前後進レバー９から手を放して非操作状態とすると、起振装置側からの機械的押し戻し力に従って、油圧ホース側からハンドポンプ１のシリンダ３内の空間Ｓ１へ作動油が流入し、駆動ピストン５が後方側（オイルタンク４側）へ押し出されて、図１に示す位置（「全速前進」位置）に復帰する。
【００２４】
尚、本発明に係るハンドポンプ１においては、図４に示すように、駆動ピストン５内に、油圧ホース側（図４において左側）とオイルタンク４側とを連通させる流通路５３、及び、この流通路５３を開閉するチェック弁５４（オイルタンク４側に配置された円錐状の弁体５４ａと、油圧ホース側に配置された円形段部形状の弁座５４ｂとによって構成される）が形成されている。
【００２５】
このチェック弁５４は、外筒部５１と内挿部５２との間に配置されているチェック弁スプリング５５によって、オイルタンク４側から油圧ホース側へ向かって閉じる方向（オイルタンク４側の弁体５４ａが油圧ホース側の弁座５４ｂに向かって押し付けられる方向）へ常時付勢されている。
【００２６】
そして、このチェック弁スプリング５５は、起振装置側からの機械的押し戻し力よりも大きな付勢力を有しているため、図３に示す状態（或いは、図１に示す状態以外のいずれかの状態）において、操作者が前後進レバー９から手を放した場合、起振装置側からの機械的押し戻し力に従って油圧ホース側からシリンダ３内に作動油が流入しても、この流入した作動油によってチェック弁５４が押し開かれることはなく（流通路５３が連通状態とはならず）、その結果、駆動ピストン５がオイルタンク４側へ押し出されて、「全速前進」位置（図１参照）に復帰する。
【００２７】
尚、作動油中に混入した空気をシリンダ３内の空間Ｓ１からオイルタンク４へ逃がし（油圧回路内のエア抜き）、或いは、オイルタンク４からシリンダ３内の空間へ作動油を補充しようとする場合には、駆動ピストン５の外筒部５１が、シリンダ３内の最も後方側にある状態、即ち、図１に示す「全速前進」位置にある状態から、前後進レバー９を更に前傾させて、ローラ７を僅かに後方へ移動させる。
【００２８】
そうすると、チェック弁スプリング５５の付勢力に抗して内挿部５２が僅かに後退し、図５に示すように、弁体５４ａが弁座５４ｂから離れてチェック弁５４が開放され、シリンダ３内の空間Ｓ１とオイルタンク４とが流通路５３によって連通した状態となる。そして、上述の通りこのハンドポンプ１は、オイルタンク４側（図１において右側）が上方となる傾斜姿勢で、振動締固め機の操作ハンドル（図示せず）に取り付けられるため、シリンダ３内の空間Ｓ１とオイルタンク４とを連通させることにより、シリンダ３内の作動油中に混入した空気をオイルタンク４へ逃がし、オイルタンク４からシリンダ３内の空間Ｓ１へ作動油を補充することが可能となる。
【００２９】
また、前後進レバー９が後進側（図３に示す位置）から前進側（図１に示す位置）へ急激に操作された場合、油圧回路内（ハンドポンプ１の駆動ピストン５から起振装置の従動ピストンまでの間）が負圧となってしまうが、このとき、油圧回路内の負圧力がチェック弁スプリング５５（図５参照）の付勢力よりも大きい場合には、チェック弁５４が開放され、シリンダ３内の空間Ｓ１とオイルタンク４とが流通路５３によって連通することになるため、そのような急激な切換操作によって機体に生じ得る衝撃を和らげることができる。
【００３０】
反対に、前後進レバー９が前進側（図１に示す位置）から後進側（図３に示す位置）へ急激に操作された場合には、駆動ピストン５が瞬時に前方へ移動することにより、シリンダ内の空間Ｓ１が劇的に狭められて、油圧回路内における作動油の圧力が瞬間的に急上昇することになるが、この場合には、図６に示す補助ピストン１０が動作することによって作動油の余剰圧力が吸収され、急激な切換操作によって機体に生じ得る衝撃を和らげることができる。
【００３１】
この点について具体的に説明すると、本発明に係るハンドポンプ１は、図６に示すように、開口部３ａ側から駆動ピストン５に向かって突出するように形成された円筒状のガイドチューブ１１が、シリンダ３内において同軸的に配置され、このガイドチューブ１１の内部流路１１ｃを介して、シリンダ３内の空間Ｓ１と開口部３ａとの間で作動油が流通するように構成されている。そして、このガイドチューブ１１の外周側（ガイドチューブ１１の外周面とシリンダ３の内周面との間）であって、作動油が充満するシリンダ３内の空間Ｓ１に接する位置（空間Ｓ１を仕切る位置）に、リング状の補助ピストン１０が配置されている。
【００３２】
この補助ピストン１０は、ガイドチューブ１１の先端（駆動ピストン５側）に形成されているストッパ１１ａと、ガイドチューブ１１の基端部１１ｂ（シリンダ３の内周面に当接し、ガイドチューブ１１をシリンダ３に対して固定する部分）との間の領域において、ガイドチューブ１１の軸線方向へ摺動可能となっているが、ガイドチューブ１１の基端部１１ｂと補助ピストン１０との間に配置された補助スプリング１２（起振装置側からの機械的押し戻し力よりも大きな付勢力を有する）によって、ストッパ１１ａ側（駆動ピストン５側）へ常時付勢されている。
【００３３】
このため、前後進レバー９の急激な操作（前進側から後進側への操作）によって油圧回路内の圧力が急上昇したような場合（余剰圧力が補助スプリング１２の付勢力を超えた場合）、図７に示すように、補助ピストン１０が、余剰圧力によって基端部１１ｂ側へ移動することになり、シリンダ３内の空間Ｓ１が一時的に拡張された状態となって、余剰圧力が吸収されることになる。その後（余剰圧力の吸収後）、補助ピストン１０は、補助スプリング１２の付勢力によって元の位置（図３及び図６に示す位置）に復帰し、シリンダ３内の空間Ｓ１も元の大きさに戻ることになる。
【００３４】
仮に、この補助ピストン１０がシリンダ３内に配置されていない場合において、前後進レバー９を前進側から後進側へ急激に操作した場合、余剰圧力が生じ、大量の作動油がシリンダ３内の空間Ｓ１から油圧ホース側へ瞬時に吐出され、起振装置の従動ピストン及び前後進切換軸が急激に切り換わることによって、機体に衝撃が生じかねないが、本発明のハンドポンプ１においては、前後進レバー９の急激な操作によって油圧回路内で余剰圧力が生じた場合でも、上述の通り補助ピストン１０が基端部１１ｂ側へ移動することによって余剰圧力が吸収され、その結果、機体動作を前進側から後進側へ滑らかに切り換えることができ、機体に生じ得る衝撃を和らげることができる。
【００３５】
尚、図７に示すように、ガイドチューブ１１の基端部１１ｂと補助ピストン１０との間の空間Ｓ２（補助スプリング１２が配置されている空間）は、基端部１１ｂ内に形成されている空気流路１３ａ、及び、シリンダ３の先端部の内周側（開口部３ａの外周側）に形成されている環状の空気流路１３ｂ等を介して外気と連通しているため、補助ピストン１０の軸線方向への移動が、空間Ｓ２内の気圧変動によって妨げられないようになっている。また、環状の空気流路１３ｂ内には、図示しない防塵フィルターが配置されており、空間Ｓ２内への異物（塵埃等）の流入、及び、異物の流入に起因する補助ピストン１０の摺動摩擦抵抗の増大という問題を好適に回避することができる。
【符号の説明】
【００３６】
１：ハンドポンプ、
２：ケーシング、
３：シリンダ、
３ａ：開口部、
４：オイルタンク、
５：駆動ピストン、
６：カム、
７：ローラ、
９：前後進レバー、
１０：補助ピストン、
１１：ガイドチューブ、
１１ａ：ストッパ、
１１ｂ：基端部、
１１ｃ：内部流路、
１２：補助スプリング、
１３ａ，１３ｂ：空気流路、
５１：外筒部、
５２：内挿部、
５２ａ：リンク機構部、
５３：流通路、
５４：チェック弁、
５４ａ：弁体、
５４ｂ：弁座、
５５：チェック弁スプリング
【図１】
2019085721.tif 000003
【図２】
2019085721.tif 000004
【図３】
2019085721.tif 000005
【図４】
2019085721.tif 000006
【図５】
2019085721.tif 000007
【図６】
2019085721.tif 000008
【図７】
2019085721.tif 000009